(57)【要約】【課題】本発明は水晶広告展示箱を開示した。【解決手段】支持枠と前記支持枠の上側に設置される半透明水晶箱とを含み、前記半透明水晶箱は上下の二つの部分に分けられ、上下の前記半透明水晶箱の間には透明水晶が設置され、前記半透明水晶箱の中には展示チャンバが設置され、前記展示チャンバの底壁には動力軸が左右に対称的に回転できるように設置され、前記動力軸には回転輪が固定的に設置され、前記展示チャンバの底壁の中には上方に開口した上スライド溝が設置され、前記上スライド溝の中には上スライドブロックがスライドできるように設置され、前記展示チャンバの底壁の中には上方に開口した下スライド溝が設置される。【選択図】図１
2020184049.tif 000002
【特許請求の範囲】
【請求項１】
正面視で、支持枠と前記支持枠の上側に設置される半透明水晶箱とを含み、前記半透明水晶箱は上下の二つの部分に分けられ、上下の前記半透明水晶箱の間には透明水晶が設置され、前記半透明水晶箱の中には展示チャンバが設置され、前記展示チャンバの底壁には動力軸が左右に対称的に回転できるように設置され、前記動力軸には回転輪が固定的に設置され、前記展示チャンバの底壁の中には上方に開口した上スライド溝が設置され、前記上スライド溝の中には上スライドブロックがスライドできるように設置され、前記展示チャンバの底壁の中には上方に開口した下スライド溝が設置され、前記下スライド溝の中には下スライドブロックがスライドできるように設置され、前記下スライドブロックと前記上スライドブロックの上端面にはいずれも連結ロッドが固定的に設置され、前記連結ロッドの上端にはテンションプーリが回転できるように設置され、前記テンションプーリと、前記回転輪の外側には回転ベルトが包むように設置され、前記回転ベルトの外端面にはポスター置き溝が設置され、使用するときに、広告ポスターを前記ポスター置き溝の中に置き、広告ポスターには四組の図が設置されて同時に展示されることができ、前記展示チャンバの中には動力機構が設置され、前記動力機構は下モータと、回転モータと、駆動軸と、回転ロッドとを含み、前記下モータが前記展示チャンバの底壁の中に設置され、前記下モータと任意一つの前記動力軸の下端とが伝動できるように連結され、前記下モータが起動されるとき、前記動力軸により前記回転ベルトを回転連動させ、それにより広告ポスターの回転展示を実現し、前記連結ロッドの中には向かい合って開口したばねチャンバが設置され、前記回転ロッドの両端がそれぞれ左右の前記ばねチャンバの中にスライドできるように設置され、前記回転ロッドの両端と前記ばねチャンバの内壁との間にはばねが連結され、前記回転モータが前記展示チャンバの底壁の中に固定的に設置され、前記駆動軸と前記回転モータとが伝動できるように連結され、前記駆動軸の上端と前記回転ロッドとが固定的に連結され、広告ポスターは三つの面しか展示しないとき、前記回転モータが起動され、前記駆動軸により前記回転ロッドを回転連動させ、それにより連結ロッドにより前記上スライドブロックと前記下スライドブロックとを連動させてそれぞれ前記上スライド溝と前記下スライド溝との中でスライドさせ、左側の前記テンションプーリと前記回転ベルトとを離脱させ、右側の前記テンションプーリが前記回転ベルトを引っ張り、それにより前記回転ベルトを四つの端面から三つの端面に転換し、前記半透明水晶箱の上側には光源機構が設置され、前記光源機構は照明と飾りの作用を果たすことを特徴とする水晶広告展示箱。
【請求項２】
前記光源機構は前記半透明水晶箱の上端面に設置されるライト箱を含み、前記ライト箱の中にはライトチャンバが設置され、前記ライトチャンバと前記展示チャンバとの間には光入り穴が設置され、前記ライトチャンバの中には光源が設置され、前記光源が起動されるとき、光が前記光入り穴により前記展示チャンバの中に入り、照明作用を果たすことを特徴とする請求項１に記載の水晶広告展示箱。
【請求項３】
前記光源機構は前記連結ロッドの頂壁に固定的に設置される上モータを含み、前記光入り穴は少なくとも二つ設置され、前記上スライドブロックと前記光入り穴との数が同じであり、前記上モータの下端面には伝動軸が伝動できるように連結され、前記伝動軸の下端には遮光盤が固定的に設置され、前記遮光盤の中には上下に貫通している複数の透光穴が設置され、前記透光穴の中には薄膜が取り付けられ、各前記薄膜は異なる色であり、前記光源が前記遮光盤の上側に設置され、前記光源から発せられた光が前記薄膜を通して色を変換し、前記上モータが起動されるときに前記遮光盤を回転連動させ、それにより光の色を絶えずに切り換えることを特徴とする請求項２に記載の水晶広告展示箱。
【請求項４】
前記動力軸にはプーリーが固定的に設置され、左右の前記プーリーの間が伝動ベルトにより伝動できるように連結されることを特徴とする請求項１に記載の水晶広告展示箱。
【発明の詳細な説明】
【技術分野】
【０００１】
本発明は水晶製品分野を取り上げて、具体的には水晶広告展示箱である。
【背景技術】
【０００２】
広告展示箱は一般的に人が大勢いるところに設置されるが、伝統的な広告展示箱は形が単一で、ライト効果が単一であるため、人々の注意を引くことは困難であり、宣伝効果は良くなく、また一般的に伝統的な広告展示箱のポスターの展示位置の数が固定されており、広告の数が足りないとき、空いているスペースが美観を損ない、上記問題に対し、本発明装置を提出した。
【先行技術文献】
【特許文献】
【０００３】
【特許文献１】中国特許出願公開第１０８３７６５２５号明細書
【発明の概要】
【発明が解決しようとする課題】
【０００４】
本発明の目的は水晶広告展示箱を提供し、それは上記の現在の技術中の問題を解決できる。
【課題を解決するための手段】
【０００５】
本発明の水晶広告展示箱は、支持枠と前記支持枠の上側に設置される半透明水晶箱とを含み、前記半透明水晶箱は上下の二つの部分に分けられ、上下の前記半透明水晶箱の間には透明水晶が設置され、前記半透明水晶箱の中には展示チャンバが設置され、前記展示チャンバの底壁には動力軸が左右に対称的に回転できるように設置され、前記動力軸には回転輪が固定的に設置され、前記展示チャンバの底壁の中には上方に開口した上スライド溝が設置され、前記上スライド溝の中には上スライドブロックがスライドできるように設置され、前記展示チャンバの底壁の中には上方に開口した下スライド溝が設置され、前記下スライド溝の中には下スライドブロックがスライドできるように設置され、前記下スライドブロックと前記上スライドブロックの上端面にはいずれも連結ロッドが固定的に設置され、前記連結ロッドの上端にはテンションプーリが回転できるように設置され、前記テンションプーリと、前記回転輪の外側には回転ベルトが包むように設置され、前記回転ベルトの外端面にはポスター置き溝が設置され、使用するときに、広告ポスターを前記ポスター置き溝の中に置き、広告ポスターには四組の図が設置されて同時に展示されることができ、前記展示チャンバの中には動力機構が設置され、前記動力機構は下モータと、回転モータと、駆動軸と、回転ロッドとを含み、前記下モータが前記展示チャンバの底壁の中に設置され、前記下モータと任意一つの前記動力軸の下端とが伝動できるように連結され、前記下モータが起動されるとき、前記動力軸により前記回転ベルトを回転連動させ、それにより広告ポスターの回転展示を実現し、前記連結ロッドの中には向かい合って開口したばねチャンバが設置され、前記回転ロッドの両端がそれぞれ左右の前記ばねチャンバの中にスライドできるように設置され、前記回転ロッドの両端と前記ばねチャンバの内壁との間にはばねが連結され、前記回転モータが前記展示チャンバの底壁の中に固定的に設置され、前記駆動軸と前記回転モータとが伝動できるように連結され、前記駆動軸の上端と前記回転ロッドとが固定的に連結され、広告ポスターは三つの面しか展示しないとき、前記回転モータが起動され、前記駆動軸により前記回転ロッドを回転連動させ、それにより連結ロッドにより前記上スライドブロックと前記下スライドブロックとを連動させてそれぞれ前記上スライド溝と前記下スライド溝との中でスライドさせ、左側の前記テンションプーリと前記回転ベルトとを離脱させ、右側の前記テンションプーリが前記回転ベルトを引っ張り、それにより前記回転ベルトを四つの端面から三つの端面に転換し、前記半透明水晶箱の上側には光源機構が設置され、前記光源機構は照明と飾りの作用を果たす。
【０００６】
優選的には、前記光源機構は前記半透明水晶箱の上端面に設置されるライト箱を含み、前記ライト箱の中にはライトチャンバが設置され、前記ライトチャンバと前記展示チャンバとの間には光入り穴が設置され、前記ライトチャンバの中には光源が設置され、前記光源が起動されるとき、光が前記光入り穴により前記展示チャンバの中に入り、照明作用を果たす。
【０００７】
優選的には、前記光源機構は前記連結ロッドの頂壁に固定的に設置される上モータを含み、前記光入り穴は少なくとも二つ設置され、前記上スライドブロックと前記光入り穴との数が同じであり、前記上モータの下端面には伝動軸が伝動できるように連結され、前記伝動軸の下端には遮光盤が固定的に設置され、前記遮光盤の中には上下に貫通している複数の透光穴が設置され、前記透光穴の中には薄膜が取り付けられ、各前記薄膜は異なる色であり、前記光源が前記遮光盤の上側に設置され、前記光源から発せられた光が前記薄膜を通して色を変換し、前記上モータが起動されるときに前記遮光盤を回転連動させ、それにより光の色を絶えずに切り換える。
【０００８】
優選的には、前記動力軸にはプーリーが固定的に設置され、左右の前記プーリーの間が伝動ベルトにより伝動できるように連結される。
【発明の効果】
【０００９】
以上により、本発明の展示部分は水晶材質を採用し、また絶えずに色を変更する光により照明し、光が水晶の反射のもとで本発明により良く人々の注意を引かせ、より良い宣伝効果を達成し、同時に本発明の展示位置の数が変えられ、広告の数が足りないため空いているスペースが美観を損なうことを避ける。
【図面の簡単な説明】
【００１０】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の水晶広告展示箱の全体構造概略図
【図２】図２は図１のＡ―Ａの構造概略図
【図３】図３は図２のＢ―Ｂの構造概略図
【図４】図４は図２のＣ―Ｃの構造概略図
【図５】図５は図３のＤ―Ｄの構造概略図
【図６】図６は図３のＥの構造概略図
【発明を実施するための形態】
【００１２】
下記に図と実施例を合わせて本発明を更に説明し、本発明の方式は以下の実施例を含むが、以下の実施例に限らない。
【００１３】
図１〜６に示すように、本発明の水晶広告展示箱は、支持枠１３と前記支持枠１３の上側に設置される半透明水晶箱１２とを含み、前記半透明水晶箱１２は上下の二つの部分に分けられ、上下の前記半透明水晶箱１２の間には透明水晶１１が設置され、前記半透明水晶箱１２の中には展示チャンバ２２が設置され、前記展示チャンバ２２の底壁には動力軸１９が左右に対称的に回転できるように設置され、前記動力軸１９には回転輪２０が固定的に設置され、前記展示チャンバ２２の底壁の中には上方に開口した上スライド溝１５が設置され、前記上スライド溝１５の中には上スライドブロック３８がスライドできるように設置され、前記展示チャンバ２２の底壁の中には上方に開口した下スライド溝２３が設置され、前記下スライド溝２３の中には下スライドブロック３６がスライドできるように設置され、前記下スライドブロック３６と前記上スライドブロック３８の上端面にはいずれも連結ロッド３９が固定的に設置され、前記連結ロッド３９の上端にはテンションプーリ１４が回転できるように設置され、前記テンションプーリ１４と、前記回転輪２０の外側には回転ベルト１８が包むように設置され、前記回転ベルト１８の外端面にはポスター置き溝２５が設置され、使用するときに、広告ポスターを前記ポスター置き溝２５の中に置き、広告ポスターには四組の図が設置されて同時に展示されることができ、前記展示チャンバ２２の中には動力機構が設置され、前記動力機構は下モータ３０と、回転モータ３７と、駆動軸１６と、回転ロッド２４とを含み、前記下モータ３０が前記展示チャンバ２２の底壁の中に設置され、前記下モータ３０と任意一つの前記動力軸１９の下端とが伝動できるように連結され、前記下モータ３０が起動されるとき、前記動力軸１９により前記回転ベルト１８を回転連動させ、それにより広告ポスターの回転展示を実現し、前記連結ロッド３９の中には向かい合って開口したばねチャンバ４０が設置され、前記回転ロッド２４の両端がそれぞれ左右の前記ばねチャンバ４０の中にスライドできるように設置され、前記回転ロッド２４の両端と前記ばねチャンバ４０の内壁との間にはばね４１が連結され、前記回転モータ３７が前記展示チャンバ２２の底壁の中に固定的に設置され、前記駆動軸１６と前記回転モータ３７とが伝動できるように連結され、前記駆動軸１６の上端と前記回転ロッド２４とが固定的に連結され、広告ポスターは三つの面しか展示しないとき、前記回転モータ３７が起動され、前記駆動軸１６により前記回転ロッド２４を回転連動させ、それにより連結ロッド３９により前記上スライドブロック３８と前記下スライドブロック３６とを連動させてそれぞれ前記上スライド溝１５と前記下スライド溝２３との中でスライドさせ、左側の前記テンションプーリ１４と前記回転ベルト１８とを離脱させ、右側の前記テンションプーリ１４が前記回転ベルト１８を引っ張り、それにより前記回転ベルト１８を四つの端面から三つの端面に転換し、前記半透明水晶箱１２の上側には光源機構が設置され、前記光源機構は照明と飾りの作用を果たす。
【００１４】
有益的には、前記光源機構は前記半透明水晶箱１２の上端面に設置されるライト箱１０を含み、前記ライト箱１０の中にはライトチャンバ２９が設置され、前記ライトチャンバ２９と前記展示チャンバ２２との間には光入り穴３５が設置され、前記ライトチャンバ２９の中には光源２８が設置され、前記光源２８が起動されるとき、光が前記光入り穴３５により前記展示チャンバ２２の中に入り、照明作用を果たす。
【００１５】
有益的には、前記光源機構は前記連結ロッド３９の頂壁に固定的に設置される上モータ２６を含み、前記光入り穴３５は少なくとも二つ設置され、前記上スライドブロック３８と前記光入り穴３５との数が同じであり、前記上モータ２６の下端面には伝動軸３４が伝動できるように連結され、前記伝動軸３４の下端には遮光盤２７が固定的に設置され、前記遮光盤２７の中には上下に貫通している複数の透光穴３３が設置され、前記透光穴３３の中には薄膜３２が取り付けられ、各前記薄膜３２は異なる色であり、前記光源２８が前記遮光盤２７の上側に設置され、前記光源２８から発せられた光が前記薄膜３２を通して色を変換し、前記上モータ２６が起動されるときに前記遮光盤２７を回転連動させ、それにより光の色を絶えずに切り換える。
【００１６】
有益的には、前記動力軸１９にはプーリー３１が固定的に設置され、左右の前記プーリー３１の間が伝動ベルト２１により伝動できるように連結される。
【００１７】
前記水晶広告展示箱の実現方法は、下記のステップを含む：
【００１８】
広告ポスターをポスター置き溝２５の中に置き、下モータ３０を始動し、伝動ベルト２１とプーリー３１とにより動力軸１９を回転させ、動力軸１９が回転輪２０を回転連動させ、それにより回転ベルト１８を回転させ、それにより広告ポスターの回転展示を実現し、光源２８を始動し、上モータ２６を始動し、光源２８から発せられた光が薄膜３２と光入り穴３５とを通して展示チャンバ２２の中に入射して照明と飾りを提供し、上モータ２６が伝動軸３４により遮光盤２７を回転連動させ、それにより展示チャンバ２２の中に入射する光の色を絶えずに変化させる。
【００１９】
広告ポスターは三つの面しか展示しないとき、回転モータ３７が起動され、駆動軸１６により回転ロッド２４を回転連動させ、それにより連結ロッド３９により上スライドブロック３８と下スライドブロック３６とを連動させてそれぞれ上スライド溝１５と下スライド溝２３との中でスライドさせ、左側のテンションプーリ１４と回転ベルト１８とを離脱させ、右側のテンションプーリ１４が回転ベルト１８を引っ張り、それにより回転ベルト１８の展示面を四つの端面から三つの端面に転換する。
【００２０】
以上により、本発明の展示部分は水晶材質を採用し、また絶えずに色を変更する光により照明し、光が水晶の反射のもとで本発明により良く人々の注意を引かせ、より良い宣伝効果を達成し、同時に本発明の展示位置の数が変えられ、広告の数が足りないため空いているスペースが美観を損なうことを避ける。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020184049.tif 000003
【図２】
2020184049.tif 000004
【図３】
2020184049.tif 000005
【図４】
2020184049.tif 000006
【図５】
2020184049.tif 000007
【図６】
2020184049.tif 000008